(57)【要約】【課題】コストが安く、敷板の連結が容易で、取り換えが簡単な敷板を提供する。【解決手段】四角形状板本体１の四周辺に凹部２と凸部３を交互に形成し、板本体１には凹部２を形成する辺に沿って、凹部２を横断する板本体側ピン挿通路４を貫設し、各凸部３には板本体側ピン挿通路４と同軸に連通する凸部側ピン挿通路５を貫設し、板本体側ピン挿通路４にはロックピン６のピン本体部７を、凹部２を横断する連結位置とその凹部２から退避した収納位置とにわたってスライド自在で回転自在に挿通し、板本体側ピン挿通路４はその一部を板本体表面１ａに開口する開口溝４ａとし、開口溝４ａには、ピン本体部７の連結位置で把手部８が没入する第１横溝９と、収納位置で把手部８が没入する第２横溝１０とを分岐形成し、開口溝４ａの内側壁面にはピン本体部７が収納位置で開口溝４ａから抜け出ないように保持する突起１１を突設する。【選択図】図２
2009079409.tif 000002
【特許請求の範囲】
【請求項１】
四角形を成す板本体の四周辺に、凹凸係合する凹部と凸部を交互に形成し、板本体には凹部を形成する辺に沿って、凹部を横断するような板本体側ピン挿通路を貫設し、各凸部にはこの凸部が他の板本体の凹部に係合した状態で板本体側ピン挿通路と同軸に連通するような凸部側ピン挿通路を貫設し、板本体側ピン挿通路には、ピン本体部と横向きに突出する把手部とからなるロックピンのピン本体部を、凹部を横断する連結位置とその凹部から退避した収納位置とにわたってスライド自在で回転自在に挿通し、板本体側ピン挿通路はその一部を板本体表面に開口する開口溝とし、この開口溝には、ピン本体部の連結位置で把手部が没入する第１横溝と、収納位置で把手部が没入する第２横溝とを分岐形成すると共に、開口溝の内側壁面にはピン本体部が収納位置で開口溝から抜け出ないように保持するための突起を突設し、しかして凹部と凸部とを係合させた状態でロックピンのピン本体部を連結位置にスライドさせることにより、隣接する板本体どうしを連結するようにした敷板。
【請求項２】
ロックピンの把手部には、ピン本体部を板本体側ピン挿通路に沿ってスライドさせる時に開口溝の内側壁面から突出する突起を避けて通るための凹溝部を設けてなる請求項１に記載の敷板。
【請求項３】
第１横溝及び第２横溝は、各横溝の底面が開口溝の底部から板本体表面に向かって上り傾斜状となる傾斜面に形成してなる請求項１又は２に記載の敷板。
【請求項４】
第１横溝及び第２横溝は、各傾斜状底面の上流端部側を一段深く形成して、作業者の手指や棒状体を挿入する挿入部を形成してなる請求項３に記載の敷板。
【請求項５】
第１横溝及び第２横溝には夫々の内側壁面に、ロックピンの把手部を当該横溝に没入した状態に保持するための突起を突設してなるしてなる請求項１〜４の何れかに記載の敷板。
【請求項６】
ロックピンは、ピン本体部とこれの一端部から直角横向きに突出する把手部とでＬ字状に形成されてなる請求項１〜５の何れかに記載の敷板。
【請求項７】
請求項１〜６の何れかに記載の敷板に連結して使用する周辺用敷板であって、四角形をなす板本体の一辺に凸部を形成し、この凸部には、この凸部が敷板の凹部に係合した状態で敷板の板本体側ピン挿通路と同軸に連通するようなピン挿通路を貫設してなる周辺用敷板。
【請求項８】
請求項１〜６の何れかに記載の敷板に連結して使用する周辺用敷板であって、四角形をなす板本体の一辺に凹部を形成すると共に、この一辺と平行に凹部を横断するようなピン挿通路を貫設し、このピン挿通路には、ロックピンのピン本体部を、凹部を横断する連結位置とその凹部から退避した収納位置とにわたってスライド自在で回転自在に挿通し、このピン挿通路はその一部を板本体表面に開口する開口溝とし、この開口溝には、ピン本体部の連結位置で把手部が没入する第１横溝と、収納位置で把手部が没入する第２横溝とを設けてなる周辺用敷板。
【請求項９】
請求項７に記載の周辺用敷板において、板本体の表面には凸部と反対側の領域にスロープを形成してなる周辺用敷板。
【請求項１０】
請求項８に記載の周辺用敷板において、板本体の表面には凹部と反対側の領域にスロープを形成してなる周辺用敷板。
【発明の詳細な説明】
【技術分野】
【０００１】
本発明は、工事現場や建設資材置き場、駐車場、公園、非舗装の道路・歩道等の地面に敷設したり、またイベント会場となる広場や野球場、サッカー場、陸上競技場のフィールド（アンツーカー、天然芝、人工芝を含む）等に敷設する敷板に関するするものある。
【背景技術】
【０００２】
従来の敷板として、例えば特許文献１に記載されたものがある。この敷板は、上下二枚のプラスチック製板部材を対称に合体させてなる敷板であって、各辺に凹凸係合部を形成すると共に、少なくとも、対向する平行な二辺に沿って連結孔を形成し、この連結孔に、連結パイプ、ロープ、チェーン、棒材などの長尺連結部材を挿通することによって、隣接する敷板どうしを連結するようにしたものである。
【特許文献１】特開平１１−１５２７０６号公報
【発明の開示】
【発明が解決しようとする課題】
【０００３】
上記特許文献１に記載の敷板によれば、敷板が上下二枚のプラスチック製板部材を対称に合体させたものからなるため、その製作コストが高くつくと共に組立に手間がかかり、しかもこの敷板にあっては、多数の敷板を一連の連結パイプ等によって連結するようになっていることから、連結した後で敷板の一つを破損等のために取り換える場合に、多数の敷板を連結している一連の連結パイプ等を引き抜いて、その多数の敷板をバラバラにする必要が合って、敷板の取り換え作業が非常に面倒である。
【０００４】
本発明は、上記の課題に鑑み、構造が簡単で製作コストが安くつき、敷板どうしの連結が簡単容易に行なえる上に、互いに連結した多数の敷板のうちの一枚が破損するなどして取り換える必要がある場合にその破損した敷板のみを、隣接する他の敷板から容易に取り外すことができて、新しいものと簡単に取り換えできるようにした敷板を提供することを目的とする。
【課題を解決するための手段】
【０００５】
上記課題を解決するための手段を、後述する実施形態の参照符号を付して説明すると、請求項１に係る発明の敷板Ａは、四角形をなす板本体１の四周辺に、互いに凹凸係合する凹部２と凸部３を交互に形成し、板本体１には凹部２を形成する辺に沿って、凹部２を横断するような板本体側ピン挿通路４を貫設し、各凸部３にはこの凸部３が他の板本体１の凹部２に係合した状態で板本体側ピン挿通路４と同軸に連通するような凸部側ピン挿通路５を貫設し、板本体側ピン挿通路４には、ピン本体部７と横向きに突出する把手部８とからなるロックピン６のピン本体部７を、凹部２を横断する連結位置とその凹部２から退避した収納位置とにわたってスライド自在で回転自在に挿通し、板本体側ピン挿通路４はその一部を板本体表面１ａに開口する開口溝４ａとし、この開口溝４ａには、ピン本体部７の連結位置で把手部８が没入する第１横溝９と、収納位置で把手部８が没入する第２横溝１０とを分岐形成すると共に、開口溝４ａの内側壁面にはピン本体部７が収納位置で開口溝４ａから抜け出ないように保持するための突起１１を突設し、しかして凹部２と凸部３とを係合させた状態でロックピン６のピン本体部７を連結位置にスライドさせることにより、隣接する板本体１，１どうしを連結するようにしたことを特徴とする。
【０００６】
請求項２は、請求項１に記載の敷板Ａにおいて、ロックピン６の把手部８には、ピン本体部７を板本体側ピン挿通路４に沿ってスライドさせる時に開口溝４ａの内側壁面から突出する突起１１を避けて通るための凹溝部８ｏを設けてなることを特徴とする。
【０００７】
請求項３は、請求項１又は２に記載の敷板Ａにおいて、第１横溝９及び第２横溝１０は、各横溝９，１０の底面が開口溝４の底部から板本体表面１ａに向かって上り傾斜状となる傾斜面９ａ，１０ａに形成してなることを特徴とする。
【０００８】
請求項４は、請求項３に記載の敷板Ａにおいて、第１横溝９及び第２横溝１０は、各傾斜状底面９ａ，１０ａの上流端部側を一段深く形成して、作業者の手指や棒状体を挿入する挿入部１２を形成してなることを特徴とする。
【０００９】
請求項５は、請求項１〜４の何れかに記載の敷板において、第１横溝９及び第２横溝１０には夫々の内側壁面に、ロックピン６の把手部８を当該横溝９，１０に没入した状態に保持するための突起１１ａを突設してなることを特徴とする。
【００１０】
請求項６は、請求項１〜５の何れかに記載の敷板Ａにおいて、ロックピン６は、ピン本体部７とこれの一端部から直角横向きに突出する把手部８とでＬ字状に形成されてなることを特徴とする。
【００１１】
請求項７は、請求項１〜６の何れかに記載の敷板Ａに連結して使用する周辺用敷板Ｂであって、四角形を成す板本体２１の一辺に凸部３を形成し、この凸部３には、この凸部３が敷板Ａの凹部２に係合した状態で敷板Ａの板本体側ピン挿通路４と同軸に連通するようなピン挿通路５を貫設してなることを特徴とする。
【００１２】
請求項８は、請求項１〜６の何れかに記載の敷板Ａに連結して使用する周辺用敷板Ｃであって、四角形を成す板本体３１の一辺に凹部２を形成すると共に、この一辺と平行に凹部２を横断するようなピン挿通路４を貫設し、このピン挿通路４には、ロックピン６のピン本体部７を、凹部２を横断する連結位置とその凹部２から退避した収納位置とにわたってスライド自在で回転自在に挿通し、このピン挿通路４はその一部を板本体表面３１ａに開口する開口溝４ａとし、この開口溝４ａには、ピン本体部７の連結位置で把手部８が没入する第１横溝９と、収納位置で把手部８が没入する第２横溝１０とを設けてなることを特徴とする。
【００１３】
請求項９は、請求項７に記載の周辺用敷板Ｂにおいて、板本体２１の表面２１ａには凸部３と反対側の領域にスロープ２０を形成してなることを特徴とする。
【００１４】
請求項１０は、請求項８に記載の周辺用敷板Ｃにおいて、板本体３１の表面３１ａには凹部２と反対側の領域にスロープ２０を形成してなることを特徴とする。
【発明の効果】
【００１５】
上記解決手段による発明の効果を、後述する実施形態の参照符号を付して説明すると、請求項１に係る発明によれば、敷板Ａを前後左右方向に連ねて敷設するには、前後方向に隣接する敷板Ａ，Ａの板本体１，１の凹部２と凸部３とを互いに係合させ、ロックピン６の把手部８を第２横溝１０から引き起こして、この把手部８でピン本体部７を収納位置から連結位置へとスライドさせることにより、その互いに係合した凹部２と凸部３とを連結し、左右方向に隣接する敷板Ａ，Ａについても同様にして、板本体１，１の凹部２と凸部３とを互いに係合させ、ロックピン６のピン本体部７を収納位置から連結位置へとスライドさせることによって、互いに係合した凹部２と凸部３とを連結すればよいから、敷板Ａどうしの連結を簡単容易に行うことができ、またロックピン６の把手部８は、連結後は第１横溝９に没入させることにより、板本体１ａの表面に突出することがない。
【００１６】
また敷板Ａの敷設後、一部の敷板Ａが破損するなどして取り替えを必要とする時には、取り替えが必要な敷板Ａに取り付けてある各ロックピン６の把手部８を第１横溝９から引き起こして、その把手部８でピン本体部７を連結位置から収納位置にスライドさせれば、当該敷板Ａをこれに隣接する他の敷板Ａと切り離すことができるから、取り替えが必要となった敷板Ａのみを取り外して新しいものと簡単容易に取り換えることができる。また、この敷板Ａは、構造が簡単であるから、製作コストが安くつく。
【００１７】
更に、この発明では、開口溝４ａの内側壁面に、ピン本体部７が収納位置で開口溝４ａから抜け出ないように保持するための突起１１を突設しているから、敷板Ａを保管場所から敷設現場等へ搬送する時などに、収納位置にあるピン本体部７が開口溝４ａから抜け出て、ロックピン６が板本体１から脱落してしまうおそれがない。
【００１８】
請求項２に係る発明によれば、ロックピン６の把手部８には、ピン本体部７を板本体側ピン挿通路４に沿ってスライドさせる時に開口溝４ａの内側壁面から突出する突起１１を避けて通るための凹溝部８ｏを設けているから、ピン本体部７を板本体側ピン挿通路４に沿ってスライドさせる時に把手部８が開口溝４ａ内の突起１１に引っ掛かることがなく、把手部８は、凹溝部８ｏにより開口溝４ａ側の突起１１を避けてスムーズに通過することができる。
【００１９】
請求項３に係る発明によれば、第１横溝９及び第２横溝１０は、各横溝９，１０の底面が開口溝４の底部から板本体表面１ａに向かって上り傾斜状となる傾斜面９ａ，１０ａに形成されているから、各横溝９，１０に没入しているロックピン６の把手部８を引き起こす際に、各横溝９，１０の傾斜状底面の上流端部側に作業者の手指ｆやドライバー等の棒状体を差し込むことで、把手部８引き起しが容易となる。
【００２０】
請求項４に係る発明によれば、第１横溝９及び第２横溝１０は、各傾斜状底面９ａ，１０ａの上流端部側を一段深く形成して、作業者の手指ｆや棒状体を挿入する挿入部１２を形 成しているから、把手部８の引き起こしが一層容易となる。
【００２１】
請求項５に係る発明によれば、第１横溝９及び第２横溝１０には夫々の内側壁面に、ロックピン６の把手部８を当該横溝９，１０に没入した状態に保持するための突起１１ａを突設しているから、ロックピン６の把手部８を第１横溝９又は第２横溝１０内に没入させれば、敷板Ａの使用中などにロックピン６の把手部８が振動などで不測に飛び出したりすることがない。
【００２２】
請求項６に係る発明によれば、ロックピン６は、ピン本体部７とこれの一端部から直角横向きに突出する把手部８とでＬ字状に形成された簡単な構造のものであるから、製作が容易であると共に、第１横溝９及び第２横溝１０の形成も容易となる。
【００２３】
請求項７に係る発明の周辺用敷板Ｂは、その凸部３を、図８に示すような敷板連結構造体の周辺部に位置する一つの敷板Ａの凹部２に係合させると、あとは前述した敷板Ａの場合の連結方法と全く同じ方法で、ロックピン６のピン本体部７を収納位置から連結位置にスライドさせることにより、周辺用敷板Ｂの板本体２１を敷板Ａの板本体１に連結することができ、従ってこの周辺用敷板Ｂを使用することにより、敷板連結構造体の周辺に敷板Ａの凹凸部２，３が露呈せず、外観上の体裁、見栄えが良くなる。
【００２４】
請求項８に係る発明の周辺用敷板Ｃは、その凹部２を、図８に示すような敷板連結構造体の周辺部に位置する敷板Ａの凸部３に係合させた状態で、この周辺用敷板Ｃに設けてあるロックピン６のピン本体部７を収納位置から連結位置にスライドさせることによって、この周辺用敷板Ｃの板本体３１を敷板Ａの板本体１に連結することができ、従ってこの周辺用敷板Ｃを使用することにより、敷板連結構造体の周辺に敷板Ａの凹凸部２，３が露呈せず、外観上の体裁、見栄えが良くなる。
【００２５】
請求項９に係る発明によれば、スロープ付き周辺用敷板Ｂ′であるため、例えば野球場等に周辺用敷板Ｂ′を敷設してイベント会場用の敷板連結構造体を形成した場合、敷板連結構造体の周辺部に段差がなくなり、この敷板連結構造体に足を踏み入れる際に靴を引っ掛けるなどの危険を回避することができる。
【００２６】
請求項１０に係る発明によれば、スロープ付き周辺用敷板Ｃ′であるため、例えば野球場等に周辺用敷板Ｃ′を敷設してイベント会場用の敷板連結構造体を形成した場合、敷板連結構造体の周辺部に段差がなくなり、この敷板連結構造体に足を踏み入れる際に靴を引っ掛けるなどの危険を回避することができる。
【発明を実施するための最良の形態】
【００２７】
以下に本発明の好適な実施形態について図面を参照しながら説明すると、図１の(a) は本発明に係る敷板を表面側から見た斜視図、(b) は同敷板を裏面側から見た斜視図、図２の(a) は同敷板の平面図、(b) は同敷板を(a) の矢印イから見た側面図、(c) は(a) の矢印ロから見た側面図であり、図３の(a) は同敷板Ａの底面図、(b) はロックピンの正面図、(c) は同ロックピンの側面図である。また、図４の(a) は図２の(a) のＸ１−Ｘ１線拡大断面図、(b) は図２の(a) のＸ２−Ｘ２線拡大断面図、(c) は図２の(a) のＹ１−Ｙ１線拡大断面図であり、図５の(a) は図２の(a) の矢印ハで示す部分の拡大図、(b) は図５の(a) のＹ２−Ｙ２線拡大断面図、(c) は図５の(a) のＸ３−Ｘ３線拡大断面図であり、また図５の(a) は図５の(a) のＸ４−Ｘ４線拡大断面図、(b) は同図のＸ５−Ｘ５線拡大断面図、(c) は同図のＸ６−Ｘ６線拡大断面図である。
【００２８】
この敷板Ａは、各辺の長さが等しい平面視四角形を成すプラスチック製の板本体１からなるもので、図２及び図３に示すように、この四角形状板本体１の四周辺には、互いに凹凸係合する凹部２と凸部３とが交互に形成されており、そして図２の(a) を参照すると、板本体１の上辺にはその左半部に凸部３が、また下辺にはその右半部に凸部３が夫々形成されており、そして左右側辺の右辺にはその下半部に凹部２が形成され、左辺にはその上半部に凹部２が形成されている。また、板本体１の表面１ａは、その一部分のみを図２の(a) の矢印ニで示し、また(b) 及び(c) に示すように、凹凸状に滑り止め加工を施され、そして裏面側は、図１の(b) 及び図３に示すように、リブｒが縦横及び斜め格子状に形成されている。また板本体１にはその全域にわたり水抜き孔ｈが設けてある。
【００２９】
板本体１には凹部２が形成される辺（図２の(a) と図３の(a) を参照した場合は、右辺側と左辺側）に沿って、凹部２を横断するような板本体側ピン挿通路４が辺全域にわたるように平行に貫設され、各凸部３には、図３の(a) に示すように、凸部３が他の板本体１の凹部２に係合した状態で板本体側ピン挿通路４と同軸に連通するような凸部側ピン挿通路５が、板本体側ピン挿通路４とは直交する方向に貫設されている。
【００３０】
板本体側ピン挿通路４には、ピン本体部７とこれの一端部から直角横向きに突出する把手部８とで図３の(b) に示すようなＬ字状に形成されたロックピン６のピン本体部７が、図２の(a) の左側に示すように凹部２を横断する連結位置と、図２の(a) の右側に示すように凹部２から退避した収納位置とにわたってスライド自在で且つ回転自在に挿通されるようになっている。このロックピン６の把手部８には付け根部の両側面に、後述するようにピン本体部７が収納位置で開口溝４ａから抜け出ないように保持する突起を避けて通るための凹溝部８ｏが形成されている（図３の(b) ，(c) 参照）。
【００３１】
また、板本体側ピン挿通路４は、図１の(a) 及び図２の(a) から分かるように、その大部分が板本体１の表面１ａに開口する開口溝４ａとされており、この開口溝４ａには、ピン本体部７が連結位置にある時に把手部８が没入する第１横溝９と、ピン本体部７が収納位置にある時に把手部８が没入する第２横溝１０とが、開口溝４ａと直交するように分岐して形成されている。
【００３２】
そして、開口溝４ａの内側壁面には、敷板Ａの搬送時などにおいて収納位置にあるピン本体部７が開口溝４ａから抜け出てロックピン６全体が脱落しないように保持するための突起１１が開口溝４ａ内の２箇所に対向突設されている。この突起１１は、図６(a) に示す拡大断面図から分かるように、開口溝４ａの対向する内側壁面から夫々断面円弧状に対向突出して、ロックピン６のピン本体部７を開口溝４ａ内に保持するようになっている。尚、この実施形態では、両側一対の突起１１，１１が対向する内側壁面から対向突出しているが、片側の内側壁面からのみ突出するように設けてもよい。
【００３３】
また、第１横溝９及び第２横溝１０には夫々の内側壁面に、ロックピン６が収納位置にある時にその把手部８を当該横溝９，１０に没入した状態に保持するための突起１１ａが突設されている。
【００３４】
また、第１横溝９及び第２横溝１０は、図２の(b) 、図４の(a) 及び図５の(c) から分かるように、夫々の底面９ａ，１０ａが開口溝４ａの底部から板本体１の表面１ａに向かって上り傾斜状となる傾斜面に形成されており、従って各横溝９，１０に没入しているロックピン６の把手部８を引き起こす際に、各横溝９，１０の傾斜状底面９ａ，１０ａの上流端部側に作業者の手指ｆやドライバー（ネジ回し）等の棒状体を差し込むことにより、ロックピン６の把手部８を容易に引き起こすことができるようにしている。尚、傾斜状底面９ａ，１０ａの水平面に対する傾斜角度は、２５°〜４５°程度が好ましい。
【００３５】
また、この場合、第１横溝９及び第２横溝１０の各傾斜状底面９ａ，１０ａは、図５の(c) から分かるように、上流端部側を一段深く削って、作業者の手指ｆや棒状体を挿入する挿入部１２を形成しておけば、各横溝９，１０に没入したロックピン６の把手部８の先端部を手指ｆで掴み易く、また把手部８の先端部に棒状体を引っ掛け易くなるから、把手部８の引き起こしが一層容易となる。
【００３６】
次に、上記のような構成よりなる敷板Ａを所定の場所において図８に示すように前後左右方向に連ねて敷設するときは、前後方向に隣接する敷板Ａ，Ａの板本体１，１の対向する凹部２と凸部３とを互いに係合させて、ロックピン６のピン本体部７を収納位置から連結位置へとスライドさせることにより、その互いに係合した凹部２と凸部３とを連結し、また左右方向に隣接する敷板Ａ，Ａの板本体１，１の対向する凹部２と凸部３とを互いに係合させて、ロックピン６のピン本体部７を収納位置から連結位置へとスライドさせることにより、互いに係合した凹部２と凸部３とを連結する。このようにして多数の敷板Ａを前後及び左右方向に連ねた状態を図８の(a) に示し、同図の(b) は(a) の矢印ホで示す部分の拡大図である。
【００３７】
上記のような互いに係合する凹部２と凸部３との連結方法について図２も参照しながら更に詳しく説明すれば、ロックピン６のピン本体部７が収納位置に退避している状態で、前後又は左右方向に隣接する敷板Ａ，Ａの板本体１，１の対向する凹部２と凸部３とを互いに係合させ、しかして第２横溝１０に没入しているロックピン６の把手部８を引き起こして第２横溝１０から脱出させた後、図７の(a) に示すように、引き起こした把手部８を把持して、ピン本体部７を板本体側ピン挿通路４の開口溝４ａに沿って収納位置から連結位置までスライドさせることにより、凹部２と凸部３とを連結する。この連結後は、ロックピン６の把手部８を第１横溝９に倒し入れて没入させることにより、ロックピン６を連結位置にロックすることができる。
【００３８】
この際、ロックピン６の把手部８には、開口溝４ａの内側壁面から突出する突起１１を避けて通るための凹溝部８ｏが設けてあるから、ピン本体部７を板本体側ピン挿通路４に沿ってスライドさせる時に把手部８が開口溝４ａ内の突起１１に引っ掛かることがなく、把手部８は、凹溝部８ｏにより開口溝４ａ側の突起１１を避けてスムーズに通過することができる。尚、ロックピン６の把手部８をピン本体部７よりも適当に径小に形成すれば、把手部８に凹溝部８ｏを設ける必要はないが、そうするとロックピン６の製作コストが高くつくことになる。即ち、ロックピン６は金属棒材をＬ字状に折曲してピン本体部７と把手部８とを形成することにより簡単に製作できるから、この場合に把手部８に開口溝４ａを形成するわけである。
【００３９】
上記のようにして多数の敷板Ａを所定の場所に敷設した後、一部の敷板Ａが破損して取り替えを必要とするときには、取り替えが必要な敷板Ａに取り付けてある各ロックピン６の把手部８を第１横溝９から引き起こして、その把手部８でピン本体部７を連結位置から収納位置にスライドさせれば、当該敷板Ａをこれに隣接する他の敷板Ａと切り離すことができるから、破損して取り替えが必要となった敷板Ａのみを取り外して新しいものと取り換えることができる。
【００４０】
この敷板Ａは、イベント会場となる広場や野球場、サッカー場、陸上競技場のフィールド（アンツーカー、天然芝、人工芝を含む）等の他、工事現場や建設資材置き場、駐車場、公園、非舗装の道路・歩道等の地面に簡単容易に敷設することができる。
【００４１】
この敷板Ａによれば、板本体側ピン挿通路４における開口溝４ａの内側壁面に、ロックピン６のピン本体部７が収納位置で開口溝４ａから抜け出ないように保持するための突起１１を突設しているから、敷板Ａを保管場所から敷設現場等へ搬送する時などに、収納位置にあるピン本体部７が開口溝４ａから抜け出て、ロックピン６が板本体１から脱落してしまうおそれがない。
【００４２】
図７の(b) は、ロックピン６を敷板Ａの板本体側ピン挿通路４に挿入する方法を説明するもので、板本体側ピン挿通路４にロックピン６を挿入する時は、ピン本体部７を、同図の仮想線で示すように先端側が下がった傾斜姿勢で開口溝４ａ内の２箇所にある突起１１，１１の中間から開口溝４ａに差し込むと共に、ピン本体部７の先端部を板本体１の下面側から手で押し上げながら、板本体側ピン挿通路４に押し込んでゆけばよい。この場合、ロックピン６は、図７の(b) の実線図示のような状態ではピン本体部７の先端部側が板本体側ピン挿通路４の孔壁面に強く圧接しているため、把手部８を適当な工具で叩くようにすれば差し込み易くなる。尚、ロックピン６を板本体側ピン挿通路４から抜き取る時は、挿入時とは逆の順序で、同図の実線図示状態から仮想線図示のように斜め方向に引っ張って引き上げればい。
【００４３】
また、ロックピン６の把手部８を第１横溝９又は第２横溝１０に没入させる時は、把手部８を強く第１横溝９又は第２横溝１０内に押し込めば、突起１１ａが弾性変形して、把手部８を第１横溝９又は第２横溝１０内に容易に没入させることができる。
【００４４】
図９は、多数の敷板Ａを前後左右方向に連結して敷設した図８に示すような敷板連結構造体の周辺部に位置する各敷板Ａに連結する周辺用敷板Ｂ，Ｃを示し、図１０は周辺用敷板Ｂ，Ｃの使用要領を示す。つまり、敷板Ａは、四角形の各辺に凹部２と凸部３を形成しているから、図８の(a) ，(b) から分かるように、敷板連結構造体の周辺には敷板Ａの凹凸部２，３が露呈することになって、外観上の体裁、見栄えが悪くなると共に、靴の爪先等を引っ掛けて破損したりするような不都合がある。そこで、敷板連結構造体の周辺に凹凸部２，３を露呈しない、敷板Ａとは別の周辺用敷板Ｂ，Ｃを設けたもので、この周辺用敷板Ｂ，Ｃは、正方形の敷板Ａを二分割したような大きさの矩形状に形成されていて、その一つの長辺に凹部２又は凸部３を形成したものである。
【００４５】
周辺用敷板Ｂは、図９の(a-1) 及び(a-2) に示すように、正方形敷板Ａを二分割したような大きさの矩形状板本体２１の一つの長辺に凸部３を形成し、この凸部３には、この凸部３が敷板Ａの凹部２に係合した状態で敷板Ａの板本体側ピン挿通路４と同軸に連通するようなピン挿通路５を貫設したものである。尚、２１ａは板本体２１の表面を示す。周辺用敷板Ｃは、図９の(b-1) 及び(b-2) に示すように、周辺用敷板Ｂと同じ大きさの矩形状板本体３１の一つの長辺に凹部２を形成すると共に、この一つの長辺と平行に凹部２を横断するようなピン挿通路４を貫設し、このピン挿通路４には、ロックピン６のピン本体部７を、凹部２を横断する連結位置とその凹部２から退避した収納位置とにわたってスライド自在で回転自在に挿通し、このピン挿通路４はその一部を板本体表面３１ａに開口する開口溝４ａとし、この開口溝４ａには、ピン本体部７の連結位置で把手部８が没入する第１横溝９と、収納位置で把手部８が没入する第２横溝１０とを分岐形成している。
【００４６】
これら周辺用敷板Ｂ，Ｃにある凹部２、凸部３、ピン挿通路４，５、開口溝４ａ及びロックピン６については、敷板Ａと同じ構成であるため、同一部材には同一符号を付して詳細な説明は省略する。また、図示は省略するが、敷板Ａと同様に、開口溝４ａの内側壁面にはピン本体部７が収納位置で開口溝４ａから抜け出ないように保持するための突起１１を突設し、また第１横溝及び第２横溝には夫々の内側壁面に、ロックピンの把手部を当該横溝に没入した状態に保持するための突起１１ａを突設している。また周辺用敷板Ｃの第１横溝９及び第２横溝１０については、図５の(c) に示す傾斜面９ａ，１０ａ及び挿入部１２の構成も適用されるものとする。尚、この実施形態では、周辺用敷板Ｂ，Ｃは、正方形の敷板Ａを二分割した大きさの矩形状としているが、正方形の敷板Ａと同じ大きさの正方形としてもよい。
【００４７】
しかして、周辺用敷板Ｂ，Ｃの使用にあたり、先ず、周辺用敷板Ｂは、その凸部３を、図１０に示すような敷板連結構造体の周辺部に位置する一つの敷板Ａの凹部２に係合させると、あとは前述した敷板Ａの場合の連結方法と全く同じ方法で、ロックピン６のピン本体部７を収納位置から連結位置にスライドさせることによって、周辺用敷板Ｂの板本体２１を敷板Ａの板本体１に連結することができる。また、周辺用敷板Ｃも同様に、その凹部２を、図８に示す敷板連結構造体の周辺部に位置する敷板Ａの凸部３に係合させた状態で、この周辺用敷板Ｃに設けてあるロックピン６のピン本体部７を収納位置から連結位置にスライドさせることにより、この周辺用敷板Ｃの板本体３１を敷板Ａの板本体１に連結することができる。
【００４８】
図１１は、図９に示す周辺用敷板Ｂ，Ｃの板本体２１，３１の板本体表面２１ａ，３１ａの外端部側にスロープ２０を形成したスロープ付きの周辺用敷板Ｂ′，Ｃ′を例示したもので、図１１の(a-1) は、周辺用敷板Ｂの板本体表面２１ａの、凹部２とは反対側の領域にスロープ２０を形成したスロープ付き周辺用敷板Ｂ′の平面図であり、(a-2) は、その正面図である。また図１１の(b-1) は、周辺用敷板Ｃの板本体表面３１ａの、凸部３とは反対側の領域にスロープ２０を形成したスロープ付き周辺用敷板Ｂ′の平面図であり、(b-2) はその正面図である。このスロープ２０以外の構成については、図９の周辺用敷板Ｂ，Ｃと全く同じである。このスロープ２０は、例えば野球場の天然又は人工芝の上にこれらの敷板Ａ及び周辺用敷板Ｂ，Ｃを敷設してイベント会場用の敷板連結構造体を形成した場合、この敷板連結構造体に足を踏み入れる際に周辺部に段差があると靴が引っ掛けるなどの危険があることから、そのような危険を回避するために設けたものである。
【図面の簡単な説明】
【００４９】
【図１】(a) は本発明に係る敷板Ａを表面側から見た斜視図、(b) は同敷板Ａを裏面側から見た斜視図である。
【図２】(a) は同敷板Ａの平面図、(b) は同敷板Ａを(a) の矢印イから見た側面図、(c) は(a) の矢印ロから見た側面図である。
【図３】(a) は同敷板Ａの底面図、(b) はロックピンの正面図、(c) は同ロックピンの側面図である。
【図４】の(a) は図２の(a) のＸ１−Ｘ１線拡大断面図、(b) は図２の(a) のＸ２−Ｘ２線拡大断面図、(c) は図２の(a) のＹ１−Ｙ１線拡大断面図である。
【図５】(a) は図２の(a) の矢印ハで示す部分の拡大図、(b) は図５の(a) のＹ２−Ｙ２線拡大断面図、(c) は図５の(a) のＸ３−Ｘ３線拡大断面図である。
【図６】(a) は図５の(a) のＸ４−Ｘ４線拡大断面図、(b) は同図のＸ５−Ｘ５線拡大断面図、(c) は同図のＸ６−Ｘ６線拡大断面図である。
【図７】(a) はロックピンが敷板Ａの板本体側ピン挿通路に挿入された状態の断面図であり、(b) はロックピンを敷板Ａの板本体側ピン挿通路に挿入する方法を説明する断面図である。
【図８】(a) は同敷板Ａの使用状態を示す平面図、(b) は(a) の矢印ハで示される部分の拡大図である。
【図９】(a-1) は周辺用敷板Ｂの平面図、(a-2) はその正面図、(b-1) は他の周辺用敷板Ｃの平面図、(b-2) はその正面図である。
【図１０】周辺用敷板Ｂの使用方法を示す平面図である。
【図１１】(a-1) はスロープ付き周辺用敷板Ｂ′を示す平面図、(a-2) はその正面図であり、(b-1) は他のスロープ付き周辺用敷板Ｃ′の平面図、(b-2) はその正面図である。
【符号の説明】
【００５０】
Ａ            敷板
Ｂ，Ｃ        周辺用敷板
Ｂ′，Ｃ′    スロープ付き周辺用敷板
２            凹部
３            凸部
４            ピン挿通路
４ａ          開口溝
５            ピン挿通路
６            ロックピン
７            ピン本体部
８            把手部
９            第１横溝
１０          第２横溝
１１          突起
１１ａ        突起
【図１】
2009079409.tif 000003
【図２】
2009079409.tif 000004
【図３】
2009079409.tif 000005
【図４】
2009079409.tif 000006
【図５】
2009079409.tif 000007
【図６】
2009079409.tif 000008
【図７】
2009079409.tif 000009
【図８】
2009079409.tif 000010
【図９】
2009079409.tif 000011
【図１０】
2009079409.tif 000012
【図１１】
2009079409.tif 000013